(57)【要約】【課題】遺体収容室内へのご遺体の安置された柩の搬入や、遺体収容室内からのご遺体の安置された柩の搬出を極めて容易に行うことができる遺体保冷庫を実現する。【解決手段】遺体保冷庫１００は、保冷庫の筐体１０の長手方向に沿った一側面に開口部２１を有し、柩内に遺体を安置したままで収容可能な遺体収容室２０と、遺体収容室２０内を冷却するための冷凍機４０と、遺体収容室２０の開口部２１を開閉可能に覆い、開口部２１の下端部に回動可能に枢支され、開放時には略水平状態に支持される開閉扉３０と、遺体収容室２０の底面に配設された第１コンベアユニット５０と、開閉扉３０の内面に配設された第２コンベアユニット６０と、第１コンベアユニット５０に配設され、遺体収容室２０の奥行き方向に沿って柩を進退移動可能な柩移動補助機構７０と、を備える。【選択図】図３
2017029325.tif 000002
【特許請求の範囲】
【請求項１】
保冷庫の筐体の長手方向に沿った一側面に開口部を有し、柩内に遺体を安置したままで収容可能な遺体収容室と、
前記遺体収容室内を冷却するための冷凍機と、
前記遺体収容室の前記開口部を開閉可能に覆い、前記開口部の下端部に回動可能に枢支され、開放時には略水平状態に支持される開閉扉と、
前記開閉扉の内面に配設された第１コンベアユニットと、
前記遺体収容室の底面に配設された第２コンベアユニットと、
前記遺体収容室の底面に配設され、前記遺体収容室の奥行方向に沿って前記柩を進退移動可能な柩移動補助機構と、
を備えることを特徴とする遺体保冷庫。
【請求項２】
前記上開き式開閉扉は前記遺体収容室とワイヤで接続され、前記開閉扉はその開放時において前記ワイヤによって略水平状態に支持されることを特徴とする請求項１に記載の遺体保冷庫。
【請求項３】
前記第１及び第２コンベアユニットは、前記開閉扉の内面及び前記遺体収容室の底面にそれぞれ複数配設されていることを特徴とする請求項１または請求項２に記載の遺体保冷庫。
【請求項４】
前記柩移動補助機構は、前記遺体収容室の底面に配設された第３コンベアユニットと、前記第３コンベアユニットの両側部に沿って設けられた一対のカイド部材と、前記ガイド部材に沿って案内され、前記遺体収容室の奥行方向に進退移動可能な枠体と、前記枠体の前記奥行方向の後端部に起立させて設けられた移動補助部材と、を少なくとも有することを特徴とする請求項１から３のいずれか１項に記載の遺体保冷庫。
【請求項５】
前記第１、第２及び第３コンベアユニットは、複数のローラを有するローラコンベアユニットであることを特徴とする請求項１から４のいずれか１項に記載の遺体保冷庫。
【請求項６】
前記遺体収容室は、上下方向に複数段配設されていることを特徴とする請求項１から５のいずれか１項に記載の遺体保冷庫。
【発明の詳細な説明】
【技術分野】
【０００１】
本発明は、柩に安置されたご遺体を柩ごと保冷するための遺体保冷庫に関する。
【背景技術】
【０００２】
高齢化社会が進む中、火葬場の不足により荼毘に付するのも順番待ちの状態となっている。また、友引の日と重なったり、親族が遠方に在住しているなどの理由で、葬儀の日程を後日にずらさなければならない場合がある。そこで、近年、ご遺体をドライアイスにより保冷するのではなく、柩に安置されたご遺体を柩ごと保冷する遺体保冷庫が種々創案されている。
【０００３】
この種の遺体保冷庫に関する技術としては、例えば、箱状に形成された本体ケーシングと、本体ケーシング内に設けられていて当該側面に遺体を出し入れするための出し入れ口が形成されている遺体収容室と、遺体収容室内を冷却する冷却機構と、遺体収容室の出し入れ口を開閉するために出し入れ口の下縁部に略上下方向揺動自在に枢支された蓋体と、を備えて成り、本体ケーシングの下部に脚柱体が略水平方向旋回自在に枢支され、所定の支持位置に旋回された脚柱体が、出し入れ口から揺動されて略水平姿勢となった蓋体をその位置に支持するように構成された遺体保冷庫が開示されている（例えば、特許文献１参照）。
【先行技術文献】
【特許文献】
【０００４】
【特許文献１】特開２０１３−５９５３２号公報
【発明の概要】
【発明が解決しようとする課題】
【０００５】
ところで、特許文献１の遺体保冷庫では、遺体収容室の底面に複数のローラを有するコンベアユニットが設けられている。このコンベアユニットは、遺体収容室内への柩の搬入や、遺体収容室内からの柩の搬出の際に当該柩を滑走させるための部品である。しかし、脚柱体によって略水平に支持される蓋体上に柩を載置するための受台部が設けられるが、当該蓋体上にはコンベアユニットが設けられておらず、受台部とコンベアユニットとの間の受け渡しが困難であった。
【０００６】
また、遺体収容室の底面にコンベアユニットが設けられていても、箱体状の柩には取っ掛かり部分がないため、当該遺体収容室内に収容した柩を取り出すのは困難を極める。
【０００７】
そこで、本発明の目的は、上記の事情に鑑みて、遺体収容室内へのご遺体の安置された柩の搬入や、遺体収容室内からのご遺体の安置された柩の搬出を極めて容易に行うことができる遺体保冷庫を提供することにある。
【課題を解決するための手段】
【０００８】
上記目的を達成するために、本発明に係る遺体保冷庫は、保冷庫の筐体の長手方向に沿った一側面に開口部を有し、柩内に遺体を安置したままで収容可能な遺体収容室と、前記遺体収容室内を冷却するための冷凍機と、前記遺体収容室の前記開口部を開閉可能に覆い、前記開口部の下端部に回動可能に枢支され、開放時には略水平状態に支持される開閉扉と、前記開閉扉の内面に配設された第１コンベアユニットと、前記遺体収容室の底面に配設された第２コンベアユニットと、前記遺体収容室の底面に配設され、前記遺体収容室の奥行方向に沿って前記柩を進退移動可能な柩移動補助機構と、を備えることを特徴とする。
【０００９】
前記遺体保冷庫の構成において、前記開閉扉は前記遺体収容室とワイヤで接続され、前記開閉扉はその開放時において前記ワイヤによって略水平状態に支持されることが好ましい。
【００１０】
また、前記第１及び第２コンベアユニットは、前記開閉扉の内面及び前記遺体収容室の底面にそれぞれ複数配設されていることが好ましい。
【００１１】
さらに、前記柩移動補助機構は、前記遺体収容室の底面に配設された第３コンベアユニットと、前記第３コンベアユニットの両側部に沿って設けられた一対のカイド部材と、前記ガイド部材に沿って案内され、前記遺体収容室の奥行方向に進退移動可能な枠体と、前記枠体の前記奥行方向の後端部に起立させて設けられた移動補助部材と、を少なくとも有することが好ましい。
【００１２】
そして、前記第１、第２及び第３コンベアユニットは、複数のローラを有するローラコンベアユニットであることが好ましい。
【００１３】
加えて、前記遺体収容室は、上下方向に複数段配設してもよい。
【発明の効果】
【００１４】
本発明によれば、遺体収容室内へのご遺体の安置された柩の搬入や、遺体収容室内からのご遺体の安置された柩の搬出を極めて容易に行うことができる遺体保冷庫を実現できるという優れた効果を発揮する。
【図面の簡単な説明】
【００１５】
【図１】第１の実施形態に係る遺体保冷庫の正面図である。
【図２】第１の実施形態に係る遺体保冷庫の扉開放状態の一部破断右側面図である。
【図３】第１の実施形態に係る遺体保冷庫の扉開放状態の一部破断平面図である。
【図４】第１の実施形態における柩移動補助機構の後退状態の斜視図である。
【図５】第１の実施形態における柩移動補助機構の進出状態の斜視図である。
【図６】第２の実施形態に係る遺体保冷庫の正面図である。
【図７】第２の実施形態に係る遺体保冷庫の扉開放状態の一部破断右側面図である。
【発明を実施するための形態】
【００１６】
以下、図面を参照して、本発明の第１及び第２の実施形態に係る遺体保冷庫について説明する。ただし、図面において、同一又は類似の部材や部分には同一又は類似の符号を付している。また、図面は模式的に図示しており、実際の寸法や比率等とは必ずしも一致しない。さらに、図面相互間において、互いの寸法の関係や比率が異なる部分が含まれることがある。
【００１７】
〔第１の実施形態〕
まず、図１から図５を参照して、第１の実施形態に係る遺体保冷庫の構成について説明する。図１は第１の実施形態に係る遺体保冷庫の正面図である。図２は第１の実施形態に係る遺体保冷庫の扉開放状態の一部破断右側面図である。図３は第１の実施形態に係る遺体保冷庫の扉開放状態の一部破断平面図である。図４は第１の実施形態における柩移動補助機構の後退状態の斜視図である。図５は第１の実施形態における柩移動補助機構の進出状態の斜視図である。
【００１８】
図１から図３に示すように、第１の実施形態に係る遺体保冷庫１００は、ご遺体の安置された柩を１基のみ収容可能な一人用の保冷庫である。第１の実施形態に係る遺体保冷庫１００は、主に遺体収容室２０、開閉扉３０、冷凍機４０、第１コンベアユニット５０、第２コンベアユニット６０、及び柩移動補助機構７０を備える。以下、各構成要素ごとに説明する。
【００１９】
遺体収容室２０は、当該遺体保冷庫１００の筐体１０の略中央部に設けられ、筐体１０の長手方向Ｘに沿った一側面に開口部２１を有する。遺体収容室２０は、断熱材２２によって区画形成され、遺体を安置した柩を１基のみ収容可能な横長の空間として形成されている。ここで、「柩」とはご遺体が安置されている状態のひつぎをいい、「棺」とは未だご遺体が安置されていない状態のひつぎをいう。よって、霊柩車には、「柩」の文字が用いられる。
【００２０】
遺体収容室２０の開口部２１は、開閉扉３０によって開閉可能に覆われている。開閉扉３０にも、不図示の断熱材が設けられている。開閉扉３０は、開口部２１の下端部に複数のヒンジ部材３１が取り付けられ、当該ヒンジ部材３１を支点として、当該開閉扉の上側が回動可能に枢支されている。この開閉扉３０の前面の上部中央には、当該開閉扉３０の開閉時に把持するためのコ字状の取っ手３２が取り付けられている。取っ手３２の両側には、開閉扉３０の一対のロック機構３３が設けられている。一対のロック機構３３は、コ字状の回動可能なハンドル３３Ａによって連結されている。ロック機構３３は、開閉扉３０を閉成状態にロックするのみならず、柩内に納めた物品の盗難を防止するために施錠可能に構成されている。
【００２１】
開閉扉３０は、当該開閉扉３０の両側部の基端側と開口部２１の両側縁部との間に伸縮可能なダンパー３４が接続されている。開閉扉３０の閉成時にはダンパー３４が縮長し、開放時にはダンパー３４が伸長して当該開閉扉３０を略水平状態に支持する。本実施形態のダンパー３４は、例えば、オイルダンパーにより構成されているが、これに限定されず、エアーダンパーを採用してもよい。さらに、開閉扉３０の内側両端部と遺体収容室２０の内面両端部は、それぞれワイヤ３５で接続されている（図２参照）。開閉扉３０と遺体収容室２０とがワイヤ３５で接続されることにより、当該開閉扉３０はその開放時において当該ワイヤ３５によって略水平状態に補強支持される。なお、図２におい、ワイヤ３５の取付具は省略図示している。
【００２２】
図２及び図３に示すように、開閉扉３０の内面３６には、第１コンベアユニット（扉側コンベアユニット）５０が設けられている。第１コンベアユニット５０は、当該遺体保冷庫１００の奥行方向Ｙに沿って柩を案内するようになっている。本実施形態の第１コンベアユニット５０は、開閉扉３０の内面３６に間隔を隔てて左右に２基配設されているが、第１コンベアユニット５０の設置数は限定されない。また、本実施形態の第１コンベアユニット５０は、例えば、複数のローラ５１を有するローラコンベアユニットにより形成することが好ましい。第１コンベアユニット５０はローラコンベアユニットに限定するものではなく、他の形式のコンベアユニットを採用しても構わない。
【００２３】
各第１コンベアユニット５０の内側部の奥行方向Ｙの前端には、遺体収容室２０内からご遺体が安置された柩を搬出する際の落下を防止するための移動規制部材５２がそれぞれ取り付けられている。移動規制部材５２は、各第１コンベアユニット５０の内側部前端に軸支され、起倒可能に取り付けられている。すなわち、移動規制部材５２は、遺体収容室２０内へご遺体が安置された柩を搬入する際には転倒状態に設定され、遺体収容室２０内からご遺体が安置された柩を搬出する際には起立状態に設定される。なお、図３において、移動規制部材５２は転倒状態に設定されている。
【００２４】
再び図１を参照して、本実施形態に係る遺体保冷庫１００の上部には、遺体収容室２０内を冷却するための冷凍機４０が設けられている。冷凍機４０と遺体収容室２０とは、冷気導入口４１と吸気口４２とで連通されており、吸気口４２にはファン４３が設けられている。冷凍機４０の冷気を冷気導入口４１から遺体収容室２０内に導入し、冷凍機４０側にファン４３によって吸気して循環させることにより、遺体収容室２０内が冷却されるようになっている。冷凍機４０の前面の一側部には、電源スイッチや温度調節部等を有する操作パネル４４が設けられている。本実施形態の冷気循環方式による遺体収容室２０内の冷却方式は例示であって、これに限定するものではなく、例えば、遺体収容室２０内に冷却管を設置するなどの他の冷却方式を採用してもよい。
【００２５】
再び図２及び図３を参照して、遺体収容室２０の底面２３には、第２コンベアユニット６０（室内側コンベア）が配設されている。第２コンベアユニット６０は、当該遺体収容室２０の奥行方向Ｙに沿って柩を案内するようになっている。本実施形態の第２コンベアユニット６０は、遺体収容室２０の底面２３に間隔を隔てて左右に２基配設されているが、第２コンベアユニット６０の設置数は限定されない。また、本実施形態の第２コンベアユニット６０は、例えば、複数のローラ６１を有するローラコンベアユニットにより形成することが好ましいが、これに限定するものではなく、他の形式のコンベアユニットを採用しても構わない。
【００２６】
図３から図５に示すように、遺体収容室２０の底面２３において、第２コンベアユニット６０，６０の間には、遺体収容室２０の奥行方向Ｙに沿って柩を進退移動可能な柩移動補助機構７０が配設されている。柩移動補助機構７０は、第３コンベアユニット７１、一対のガイド部材７３，７３、枠体７４、及び移動補助部７５を少なくとも有する。
【００２７】
第３コンベアユニット７１は、遺体収容室２０の底面２３の第２コンベアユニット６０，６０の間に配設されている。第３コンベアユニット７１は、当該遺体収容室２０の奥行方向Ｙに沿って柩を案内するようになっている。本実施形態の第３コンベアユニット７１は、例えば、複数のローラ７２を有するローラコンベアユニットにより形成することが好ましいが、これに限定するものではなく、他の形式のコンベアユニットを採用しても構わない。第３コンベアユニット７１は、両側の第２コンベアユニット６０，６０よりもローラ長が小さく設定されている。
【００２８】
図４及び図５に示すように、一対のカイド部材７３，７３は、第３コンベアユニット７１の両側部に沿って設けられている。すなわち、カイド部材７３，７３は、遺体収容室２０の奥行方向Ｙに沿って配設されている。カイド部材７３，７３は、例えば、断面コ字状のチャンネル（溝型鋼）によって形成されている。
【００２９】
カイド部材７３，７３内には、当該ガイド部材７３，７３に沿って案内される枠体７４が収容されている。枠体７４は、コ字状のフレーム部材であって、ガイド部材７３，７３に沿って遺体収容室２０の奥行方向Ｙに進退移動可能に構成されている。ガイド部材７３，７３の一部には、当該ガイド部材７３，７３からの枠体７４の離脱を防止するための凸片７７が形成されている。凸片７７は、枠体７４の上面に突設されている。
【００３０】
枠体７４の奥行方向Ｙの前端部には、当該枠体７４を出し入れするための把持部７６が取り付けられている。他方、枠体７４の奥行方向Ｙの後端部には、移動補助部材７５が上方へ起立させて設けられている。移動補助部材７５は、枠体７４と共に、遺体収容室２０の奥行方向Ｙに進退移動可能に構成されている。移動補助部材７５は、いわゆる背板であって、遺体収容室２０に収容された柩の背面を支持するようになっている。
【００３１】
再び図２を参照して、遺体収容室２０の底面２３には、遺体収容室２０内の結露や清掃等によって生じるドレン水を排出するためのドレン排出口２４が設けられている。ドレン排出口２４は、当該遺体保冷庫１００の設置時に不図示のドレン管に接続される。遺体収容室２０の下部には、基台８０が設けられている。基台８０の下部には、移動用の複数のキャスター８１、及び設置用の複数の支柱８２が設けられている。
【００３２】
遺体収容室２０には、当該遺体収容室２０内を照らすための室内灯２５が設けられている。また、遺体収容室２０には、室内を消臭するための不図示のオゾン発生器が設けられる。当該オゾン発生器は、オプショナルな構成要素である。
【００３３】
次に、図１から図５を参照して、第１の実施の形態に係る遺体保冷庫１００の作用について説明する。上述のように、第１の実施の形態に係る遺体保冷庫１００は、遺体収容室２０内にご遺体の安置された柩を１基のみ収容可能な一人用の保冷庫である。図１及び図２に示すように、遺体収容室２０内にご遺体の安置された柩を収納する場合には、取っ手３２を持ち、ハンドル３３Ａを回動操作してロック機構３３を解除しながら、開閉扉３０を奥行方向Ｙの前方へと開ける。
【００３４】
図２に示すように、開閉扉３０を開放すると、ダンパー３４が伸長して当該開閉扉３０が略水平状態に支持される。開閉扉３０と遺体収容室２０はワイヤ３５で接続されているので、当該ワイヤ３５によって略水平状態に補強支持される。また、開閉扉３０を開放すると同時に、室内灯２５が点灯して遺体収容室２０内が照らされる。
【００３５】
図２及び図３に示すように、開閉扉３０の内面３６には、間隔を隔てて左右に２基の第１コンベアユニット５０，５０が配設されている。また、遺体収納室２０の底面２３にも同様に、間隔を隔てて左右に２基の第２コンベアユニット６０，６０が配設されている。第１コンベアユニット５０，５０及び第２コンベアユニット６０，６０は、それぞれ複数のローラ５１，６１を有するローラコンベアユニットで構成されている。
【００３６】
さらに、図３から図５に示すように、遺体収納室２０の底面２３において、２基の第２コンベアユニット６０，６０の間には、柩移動補助機構７０が配設されている。柩移動補助機構７０は、遺体収容室２０の底面２３に配設された第３コンベアユニット７１と、第３コンベアユニット７１の両側部に沿って設けられた一対のカイド部材７３，７３と、ガイド部材７３，７３に沿って案内され、遺体収容室２０の奥行方向Ｙに進退移動可能な枠体７４と、枠体７４の奥行方向Ｙの前端部に設けられた把持部７６と、枠体７４の奥行方向Ｙの後端部に起立させて設けられた移動補助部材７５と、有する。
【００３７】
ご遺体の安置された柩を遺体収納室２０に搬入する場合は、まず、開閉扉３０の内面３６の第１コンベアユニット５０，５０上に柩を載置する。柩を載置する際、移動補助部材７５の把持部７６を引いて、枠体７４を開閉扉３０側へ進出させておくことが好ましい。或いは、枠体７４を後退状態（初期状態）にしたままでもよい。このとき、第１コンベアユニット５０，５０の内側部前端に取り付けられた移動規制部材５２は、転倒状態に設定されている。
【００３８】
次に、開閉扉３０上の第１コンベアユニット５０，５０から遺体収容室２０の第２のコンベアユニット６０，６０上に柩を受け渡して移動させる。枠体７４を開閉扉３０側へ進出させている場合は、柩を第２コンベアユニット６０，６０上に受け渡しながら、把持部７６を掴んで柩を第２コンベアユニット６０，６０側へ押し込む。こうすることにより、遺体収容室２０の第２コンベア６０，６０上に柩を容易に移動させることができる。
【００３９】
遺体収納室２０内に当該柩を収納した後、開閉扉３０の前面の取っ手３２を掴んで当該開閉扉３０を閉成すると共に、ハンドル３３Ａを回動操作してロック機構３３をロックする。必要に応じて、ロック機構３３は施錠される。
【００４０】
その後、操作パネル４４を操作することにより、冷凍機４０を作動させ、遺体収納室２０内の温度を、例えば、＋５度から−２０度の範囲の所望の温度に保冷する。必要に応じて、オゾン発生装置を作動させ、遺体収納室２０内を消臭する。遺体収納室２０内の温度は、当該柩の搬入前に調整しておいてもよい。
【００４１】
他方、ご遺体の安置された柩を遺体収納室２０から搬出する場合は、柩移動補助機構７０の把持部７６を引いて、枠体７４を開閉扉３０側へと進出させながら、遺体収容室２０の第２コンベアユニット６０，６０上から開閉扉３０上の第１コンベアユニット５０，５０へ受け渡す。ご遺体の安置された柩には取っ掛かり部分がないが、把持部７６を引いて枠体７４を開閉扉３０側へ進出させることにより、移動補助部材（背板）７５が当該柩の背面を押して、極めて容易に遺体収容室２０の第のコンベアユニット６０，６０上から開閉扉３０上の第１コンベアユニット５０，５０へと容易に受け渡すことができる。第１コンベアユニット５０，５０は開閉扉３０の内面３６の左右に間隔を空けて設けられているので、その空間領域に柩移動補助機構７０の枠体７４を引き出すことが可能である。
【００４２】
遺体収納室２０からご遺体の安置された柩を搬出する際には、第１コンベアユニット５０，５０の内側部前端に取り付けられた移動規制部材５２は、起立状態に設定されている。移動規制部材５２を起立状態に設定することにより、柩移動補助機構７０の枠体７４を進出させる際に当該柩の不慮の落下を防止することができる。
【００４３】
以上説明したように、第１の実施形態に係る遺体保冷庫１００は、開閉扉３０の内面３６に第１コンベアユニット５０，５０を備えると共に、遺体収容室２０の底面２３に第２コンベアユニット６０，６０を備える。さらに、遺体収容室２０の底面２３において第２コンベアユニット６０，６０の間に、開閉扉３０の内面３６上の第１コンベアユニット５０，５０と遺体収容室２０の底面２３上の第２コンベアユニット６０，６０との間の柩の受け渡しを補助するための柩移動補助機構７０を備える。したがって、第１の実施形態に係る遺体保冷庫１００よれば、遺体収容室２０内へのご遺体の安置された柩の搬入や、遺体収容室２０内からのご遺体の安置された柩の搬出を極めて容易に行うことができる。
【００４４】
〔第２の実施形態〕
次に、図６及び図７を参照して、第２の実施形態に係る遺体保冷庫２００について説明する。図６は第２の実施形態に係る遺体保冷庫の正面図である。図７は第２の実施形態に係る遺体保冷庫の扉開放状態の一部破断右側面図である。なお、第１の実施形態と同一の構成要素については、同一の符号を付して説明を省略する。
【００４５】
図６及び図７に示すように、第２の実施形態に係る遺体保冷庫２００は、当該遺体保冷庫２００の上下方向Ｚに遺体収容室２０を２段に配設している点が、第１の実施形態と異なる。第２の実施形態に係る遺体保冷庫２００は、ご遺体の安置された柩を２基収容可能な二人用の保冷庫である。第２の実施形態に係る遺体保冷庫２００は、遺体収容室２０を２段に配設しているため、第１の実施形態と異なり、基台８０を有しない（図１及び図２参照）。
【００４６】
第２の実施形態に係る遺体保冷庫２００は、第１の実施形態と同様の構成で、開閉扉３０、第１コンベアユニット５０、第２コンベアユニット６０、及び柩移動補助機構７０を備える。各開閉扉３０は各遺体収容室２０とワイヤ３５で接続され、各開閉扉３０はその開放時においてワイヤ３５によって略水平状態に補強支持される。
【００４７】
冷凍機４０は、上段の遺体収容室２０の上部に配設されている。上段の遺体収容室２０の底面２３には、冷気を流通させるための不図示の連通口が形成されている。図７に示すように、上段の遺体収容室２０のみに室内灯２５が設けられ、下段の遺体収容室２０には設けられていないが、下段の遺体収容室２０にも室内灯２５を設けてもよい。
【００４８】
第２の実施形態に係る遺体保冷庫２００は、基本的に第１の実施形態に係る遺体保冷庫１００と同様の作用効果を奏する。特に、第２の実施形態に係る遺体保冷庫２００によれば、遺体保冷庫２００の上下方向Ｚに遺体収容室２０を２段に配設しているので、一台の遺体保冷庫２００でご遺体の安置された２基の柩を収納することができるという有利な効果を奏する。
【００４９】
〔他の実施形態〕
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【００５０】
すなわち、上記の実施の形態では、２基の第２コンベアユニット６０，６０同士の間に１基の柩移動補助機構７０を配設しているが、３基の第２コンベアユニット６０，６０，６０同士の間に２基の柩移動補助機構７０を配設してもよい。また、第２の実施形態では、遺体保冷庫２００の上下方向Ｚに２段の遺体収納室２０，２０を配設しているが、設置スペースの高さが可能であれば、例えば、３段の遺体収納室２０，２０を配設してもよい。
【符号の説明】
【００５１】
１０    筐体、
２０    遺体収容室、
２１    開口部、
３０    開閉扉、
４０    冷凍機、
５０    第１コンベアユニット、
６０    第２コンベアユニット、
７０    柩移動補助機構、
３５    ワイヤ、
７１    第３コンベアユニット、
７３    カイド部材、
７４    枠体、
７５    移動補助部材、
１００、２００    遺体保冷庫。
【図１】
2017029325.tif 000003
【図２】
2017029325.tif 000004
【図３】
2017029325.tif 000005
【図４】
2017029325.tif 000006
【図５】
2017029325.tif 000007
【図６】
2017029325.tif 000008
【図７】
2017029325.tif 000009